(57)【特許請求の範囲】
【請求項１】
再生されるディスクの中心部における前記ディスク面に略垂直な線上に前記ディスクを再生するターンテーブルの中心部が位置するように前記ディスクをディスク面に略水平な方向に押出す押出しレバーと、
前記押出しレバーで押出されたディスクの上面に擦合する第１のディスク保持片と、
前記押出しレバーで押出されたディスクの下面に擦合する第２のディスク保持片と、
前記第１のディスク保持片に植設された第１のピンと、
前記第２のディスク保持片に植設された第２のピンと、
前記第１のピンと前記第２のピンとがそれぞれ挿入されるカム溝を形成するカム板と、
前記カム板の駆動により、前記第１のディスク保持片と前記第２のディスク保持片を接近させて前記押出しレバーで押出されたディスクを保持させ前記ディスクを略垂直方向に前記ターンテーブルまで移動させた後に、前記第１のディスク保持片と前記第２のディスク保持片とを離反させ前記押出しレバーで押出されたディスクを前記ターンテーブルに載置させる駆動部とを備えることを特徴とするディスクチェンジャー装置。
【請求項２】
前記第１のディスク保持片と前記第２のディスク保持片とを上下方向に揺動自在に支持する支持基板を備え、
前記カム板は、前記支持基板に対して水平方向に揺動することを特徴とする請求項１に記載のディスクチェンジャー装置。
【発明の詳細な説明】
【０００１】
【発明の属する技術分野】
本発明は、コンパクトディスク（ＣＤ）などのディスクを選択的に再生するディスクチェンジャー装置に関するものである。
【０００２】
【従来の技術】
図１６は従来のディスクチェンジャー装置の要部を示している。図１６において、５０は箱形の筐体であり、この筐体５０の正面板５０Ａには、ディスク挿入口が形成されている。５１は筐体５０内のディスク挿入口の近傍に配置されたローラーであり、ディスク挿入口から挿入されたディスク５２はモータにより駆動されるローラー５１により筐体５０内に移送され筐体５０内のトレイに載置される。複数個のトレイに載置されたディスクのうちの１枚のディスク５２がディスク取出し機構により筐体５０の中央に押出されターンテーブル５３に固定される。上記ターンテーブル５３は軸５４により筐体５０の底面板に回動可能に支持された回動板５５の先端部に回動自在に保持されている。上記回動板５５にはモータが取付けられこのモータの駆動力によりターンテーブル５３が回転される。上記回動板５５には光ピックアップ５６が設けられており、回転駆動されたディスク５２に記録された情報が上記光ピックアップ５６で読み取られる。
【０００３】
【発明が解決しようとする課題】
本発明は、上記従来のオーバーラップ再生のディスクチェンジャー装置に比較してより小型化が可能で、ディスクのターンテーブルへの移送、ディスク再生が確実に行えるディスクチェンジャー装置を簡単な構成で提供することを目的とするものである。
【０００４】
【課題を解決するための手段】
本発明は、前記従来の問題点を解決するために、再生されるディスクの中心部における前記ディスク面に略垂直な線上に前記ディスクを再生するターンテーブルの中心部が位置するように前記ディスクをディスク面に略水平な方向に押出す押出しレバーと、前記押出しレバーで押出されたディスクの上面に擦合する第１のディスク保持片と、前記押出しレバーで押出されたディスクの下面に擦合する第２のディスク保持片と、前記第１のディスク保持片に植設された第１のピンと、前記第２のディスク保持片に植設された第２のピン
と、前記第１のピンと前記第２のピンとがそれぞれ挿入されるカム溝を形成するカム板と、前記カム板の駆動により、前記第１のディスク保持片と前記第２のディスク保持片を接近させて前記押出しレバーで押出されたディスクを保持させ前記ディスクを略垂直方向に前記ターンテーブルまで移動させた後に、前記第１のディスク保持片と前記第２のディスク保持片とを離反させ前記押出しレバーで押出されたディスクを前記ターンテーブルに載置させる駆動部とを備えるものであり、ディスクの移送動作およびディスク再生動作が確実に行えるものである。
【０００５】
【発明の実施の形態】
本発明の請求項１に記載の発明は、接近離反する第１、第２のディスク保持片を有するディスクガイド手段と、上記第１、第２のディスクガイド手段を駆動し上記第１、第２のディスク保持片を接近離反させる駆動手段とを具備し、上記第１、第２のディスク保持片を接近させた状態でディスクを保持してターンテーブルへ移送し、移送後に第１、第２のディスク保持片を離反させてディスク再生を行うことを特徴とするものであり、第１、第２のディスク保持片を接近させてディスクを保持したままディスクをターンテーブルまで移送し、移送後ディスク保持片を離反させてディスク再生を行うため、ディスクのターンテーブルへの移送、及び移送後のディスク再生が確実に行えるものである。
【０００６】
本発明の請求項２に記載の発明は、支持基板に上下方向に摺動自在に支持された第１、第２のディスク保持片と、上記支持基板に横方向に摺動自在に支持され上記第１、第２のディスク保持片のピンが挿入されるカム溝が形成されたカム板とでディスクガイド手段を構成したことを特徴とするものであり、簡単な構成でディスクの移送及び移送後のディスク再生が確実に行えるものである。
以下、本発明の実施の形態について、図１から図１５を用いて説明する。以下の実施形態１のディスクチェンジャー装置は、自動車内に設置して使用する車載用のディスクチェンジャー装置の例である。
【０００７】
（実施の形態１）
図１―図５において、１は箱形の筐体であり、この筐体１の正面板１Ａにはディスク挿入口が形成されている。２は筐体１内の上記ディスク挿入口の近傍に配置されたディスクローディング用のローラであり、このローラ２はローラ駆動機構（図示せず）によって回動されディスク３の挿入、排出を行う。４はディスク３を保持する半円環状のトレイであり、複数枚のトレイ４が筐体１内の背面板１Ｂと右側面板１Ｃとのコーナ部側に積層配置されている。上記複数枚のトレイ４の内の最上面側および最下面側にはそれぞれ金属板５が配置され、上記トレイ４および金属板５には３個所に孔が形成されている。両端が筐体１の上面板と底面板とに固定された３本のトレイガイド軸がトレイ４、金属板５の孔に挿入されているため、複数のトレイ４、金属板５は上記３本のトレイガイド軸に案内されて上下に移動可能である。６は筐体１内に回動可能に支持されたレバーであり、このレバー６の先端にはローラ７が保持されている。上記レバー６はバネ（図示せず）により時計方向（図１）に付勢されている。筐体１の正面板１Ａの中央に形成されたディスク挿入口より挿入されたディスク３はローラ２により背面板１Ｂに向かって筐体１内に移送されていく。この移送の途中においてレバー６の先端のローラ７がディスク３の外周面に当接するため、ディスク３はトレイ４方向に方向転換されトレイ４に収納される。
【０００８】
図３−図５は、実施の形態１のトレイ部を示している。図３−図５において、８はコイルバネであり、このコイルバネ８の下端は最下部に配置された金属板５に係止され、またコイルバネ８の上端は最上部に配置された金属板５に係止されている。このコイルバネ８の弾性力により上記複数のトレイ４は図３に示すように金属板５で挟まれるように付勢され重ねられる。９は筐体１内に回転可能に支持された第１のカムギアであり、この第１のカムギア９には図８に示すようにトレイ４及び金属板５の中央部に形成された突片が挿入されるカム溝９Ａが形成されている。上記第１のカムギア９の山部の一部９Ｂの幅は他の山部９Ｃの幅より厚く形成されている。１０は山部９Ｂに一体に形成された突片である。同様に第２、第３のカムギア１１、１２が筐体１内に回転可能に支持されている。この第２、第３のカムギア１１、１２はトレイ４及び金属板５の端部に形成された突起が挿入されるカム溝が形成され、また第２、第３のカムギア１１、１２の山部の一部の幅は他の山部の幅より厚く形成されている。上記第２、第３のカムギア１１、１２のカムギア９、１１、１２はモータ（図示せず）の回転駆動力によって同期して回転する。また、上記第２、第３のカムギア１１、１２の近傍には、この第２、第３のカムギア１１、１２の山部の幅よりさらに大きな幅の山部を有する第４、第５のマウビア１３、１４が回動可能に支持されている。駆動機構によりカムギア９、１１、１２が回転すると、この回転に伴ってトレイ４間が順次開脚するとともに、他の駆動機構により第４、第５のカムギア１３、１４が回転するとトレイ４間が図４に示すようにさらに大きく開脚するものである。
【０００９】
図１において、１５は筐体１の底面に軸１６により回転可能に支持された基板であり、この基板１５上に３つのゴム製のダンパー１７を介して光ヘッドシャーシ１８が支持されている。１９は光ヘッドシャーシ１８に送りネジにより矢印Ａ方向に移動される光ピックアップである。この光ピックアップ１９には発光素子、受光素子などの光学系が組込まれている。２０は光学系を構成する対物レンズであり、この対物レンズ２０から出たレーザ光がディスク３に照射され、またディスク３で反射された反射光が対物レンズ２０を介して受光素子に入射される。この受光素子は受光したレーザ光を電気信号に変換して出力するものであり、この出力信号からディスク３に記録された情報が再生されるものである。
【００１０】
図６、図７において、２１は光ヘッドシャーシ１８に回転自在に保持されたターンテーブルであり、このターンテーブル２１は光ヘッドシャーシ１８の下面に取付けられたモータ２２の回転軸に直結されている。２３はターンテーブル２１の中央に開閉可能に保持された複数の爪であり、ターンテーブル２１にディスク３が載置されていない時は爪２３は閉じた状態にあり、ターンテーブル２１にディスクが載置されると、爪駆動機構により駆動されて爪２３は外方に開きディスク３のターンテーブル２１への保持を行うものである。
【００１１】
図１において、２４は軸２５の先端部に摺動自在に保持されたディスク押出しレバーであり、駆動機構（図示せず）によりディスク押出しレバー２４が時計方向（図１）に回動すると、ディスク押出しレバー２４の先端がトレイ４間に入り、トレイ４上のディスク３の外周面を押し、トレイ４より１枚のディスク３を筐体１内の中央方向に押出すものである。トレイ４より押出されたディスク３はターンテーブル２１に固定されて回転駆動されるものである。
【００１２】
図９は、トレイから押出されたディスクをターンテーブルまで移送する際にディスクを保持するディスクガイド機構を示している。図９において、２６は筐体１に固定されたモータであり、このモータ２６の回転駆動力は歯車減速機構２７を介して歯車２８に伝えられる。２９は筐体１の底板に摺動自在に支持されたリング状の回動板であり、この回動板２９の外周には歯部２９Ａが形成されている。３０は筐体１の底板に軸３１により回動可能に支持され上記回動板２９の歯部２９Ａと噛合する歯車であり、この歯車３０の上面にはカム溝３０Ａが形成されている。３２は軸３３により回動可能に支持されたレバーであり、このレバー３２には上記歯車３０のカム溝３０Ａに係合するピン３２Ａが植設されている。３２Ｂはレバー３２の先端に植設されたピン、３２Ｃは上記レバー３２に形成された円弧溝であり、この円弧溝３２Ｃに上記軸３１が挿入されている。３４は筐体１の上面板に固定された支持基板であり、この支持基板３４には、図１０〜図１２に示すように、縦方向の２つの長穴３４Ａ、３４Ｂと横方向の１つの長穴３４Ｃが形成されている。３５は上記支持基板３４の長穴３４Ａに上下摺動自在に支持されたディスク保持片であり、このディスク保持片３５に植設された２つのピン３５Ａ、３５Ｂが上記長穴３４Ａに挿入されている。３６は上記支持基板３４の長穴３４Ｂに上下摺動自在に支持されたディスク保持片であり、このディスク保持片３６に植設された２つのピン３６Ａ、３６Ｂが上記長穴３４Ｂに挿入されている。３７は上記支持基板３４に横方向に摺動自在に支持されたカム板であり、このカム板３７にはカム溝３７Ａ、３７Ｂが形成されている。上記ディスク保持片３５、３６は支持基板３４の一方の面側に上下摺動自在に支持されているのに対し、上記カム板３７は支持基板３４の他方の面側に左右摺動自在に支持されているものである。上記ディスク保持片３５に植設されたピン３５Ａがカム溝３７Ａに挿入され、またディスク保持片３６に植設されたピン３６Ｂがカム溝３７Ｂに挿入されている。３８はカム板３７に植設されたピンであり、このピン３８は支持基板３４の長穴３４Ｃに挿入され、カム板３７は長穴３４Ｃに案内されて支持基板３４に対し水平に摺動する。３９はカム板３７の下部に一体に形成された折曲片であり、この折曲片３９に長溝３９Ａが形成されている。折曲片３９の長溝３９Ａには上記レバー３２に植設されたピン３２Ｂが挿入されている。レバー３２が回動すると、このレバー３２のピン３２Ｂによりカム板３７が支持基板３４上を横方向に摺動する。カム板３７が横方向に摺動すると、このカム板３７のカム溝３７Ａ、３７Ｂによりピン３５Ａ、３６Ｂが駆動されるため、支持基板３４に上下摺動自在に支持されたディスク保持片３５、３６は上下に摺動するものである。４０は筐体１の底板に軸４１により回動可能に支持され上記回動板２９の歯部２９Ａと噛合する歯車であり、この歯車４０の上面にはカム溝４０Ａが形成されている。４２は軸４３により回動可能に支持されたレバーであり、このレバー４２には上記歯車４０のカム溝４０Ａに係合するピン４２Ａが植設されている。４２Ｂはレバー４２の先端に植設されたピンであり、このピン４２Ｂはディスクガイド機構４４のカム板の折曲片の長穴に挿入されている。このディスクガイド機構は前記第１のディスクガイド機構と同様の構造であり、回動板２９の回動に伴い歯車３０、４０が回動することにより、第１、第２のディスクガイド機構が同様に動作するものである。
【００１３】
図１０、図１３はディスク３がトレイ４より押出された段階の状態を示している。この状態では第１、第２のディスクガイド機構のディスク保持片３５、３６が上方に移動した位置にあり、ディスク保持片３５、３６間は狭くなっており、このディスク保持片３５、３６間にトレイ４から押出されたディスク３が挿入され、ディスク３がディスク保持片３５、３６間で保持される。図１１、図１４はトレイ４から押出されたディスク３をターンテーブル２１に載置しクランプする段階の状態を示している。図１０、図１３に示す状態でカム板３７が横方向に移動すると、第１、第２のディスクガイド機構のディスク保持片３５、３６はディスク３を保持したまま下降する。図１１、図１４に示す状態でカム板３７が更に横方向に移動すると、図１２、図１５に示すように、第１、第２のディスクガイド機構のディスク保持片３５は下降し、ディスク保持片３６は上昇し、ディスク保持片３５、３６間の間隔が広くなるものであり、この状態でディスク３がターンテーブル２１によって回転駆動されディスクの再生動作が行われるものである。
【００１４】
図９において、モーター２６が回転すると、モーター２６の回転駆動力が減速機構２７を介して歯車２８に伝えられる。歯車２８が回転すると、この歯車２８に噛合する回動板２９が回動し、この回動板２９の歯部２９Ａに噛合する歯車３０、４０が回転する。歯車３０、４０の回転に伴い、歯車３０、４０のカム溝３０Ａ、４０Ａにより、軸３３、４３を支点とするレバー３２、４２のピン３２Ａ、４２Ａが駆動され、レバー３２、４２が回動し、第１、第２のディスクガイド機構のカム板３７が支持基板３４上を水平方向に摺動し、この摺動動作に伴い、図１３に示すようにトレイ４から押出されたディスク３を第１、第２のディスクガイド機構のディスク保持片３５、３６で保持し、図１４に示すようにディスク３を保持したままディスク保持片３５、３６を下降させ、ディスク３をターンテーブル２１上に載置、クランプした後に、図１５に示すように、第１、第２のディスクガイド機構のディスク保持片３５、３６間を開きディスク再生を行うものである。ディスク再生後は、図１５、図１４、図１３に示す状態を経てディスク３をトレイに収納するものである。
【００１５】
以上のように、上記実施の形態１では、回動板２９の回動動作に基づいて、ディスク保持片３５、３６によりディスク３をターンテーブル２１まで移送し、ディスク３がターンテーブル２１にクランプされると、ディスク保持片３５、３６間が開きディスク再生を行うものであり、ディスク３のターンテーブル２１への移送、ディスク再生動作が確実におこなれるものである。
【００１６】
【発明の効果】
本発明によれば、第１、第２のディスク保持片を接近させてディスクを保持したまま垂直方向に移動して押出しレバーで押出されたディスクをターンテーブルまで移送し、移送後ディスク保持片を離反させて押出しレバーで押出されたディスク再生を行うため、簡単な構成でディスクのターンテーブルへの移送、及び移送後のディスク再生が確実に行えるものである。
【図面の簡単な説明】
【図１】本発明の実施の形態１におけるディスクチェンジャー装置の上面図
【図２】同実施の形態１の再生動作時の上面図
【図３】同実施の形態１のトレイ機構部の側面図
【図４】同実施例の形態１の再生時のトレイ機構部の側面図
【図５】同実施の形態１の再生時のトレイ機構部の側面図
【図６】同実施の形態１の光ヘッドシャーシの上面図
【図７】同実施の形態１の光ヘッドシャーシの側面図
【図８】同実施の形態１のカムギアの側面図
【図９】同実施の形態１のトレイガイド機構の要部の上面図
【図１０】同実施の形態１のトレイ保持機構の正面図
【図１１】同実施の形態１のトレイ保持機構の正面図
【図１２】同実施の形態１のトレイ保持機構の正面図
【図１３】同実施の形態１のディスク保持片の側面図
【図１４】同実施の形態１のディスク保持片の側面図
【図１５】同実施の形態１のディスク保持片の側面図
【図１６】従来のディスクチェンジャー装置の概要を示す上面図
【符号の説明】
３    ディスク
４    トレイ
９    カムギア
１１    カムギア
１２    カムギア
１３    カムギア
１４    カムギア
１５    基板
１６    軸
１７    ダンパー
１８    光ヘッドシャーシ
１９    光ピックアップ
２１    ターンテーブル
２２    モーター
２４    ディスク押出しレバー
２６  モータ
２９    回動板
３０    歯車
３２    レバー
３２Ｂ    ピン
３４  支持基板
３５  ディスク保持片
３６  ディスク保持片
３７  カム板
４０    歯車
４２  レバー
４２Ｂ  ピン
【図１】
0003613012.tif 000002
【図２】
0003613012.tif 000003
【図３】
0003613012.tif 000004
【図４】
0003613012.tif 000005
【図５】
0003613012.tif 000006
【図６】
0003613012.tif 000007
【図７】
0003613012.tif 000008
【図８】
0003613012.tif 000009
【図９】
0003613012.tif 000010
【図１０】
0003613012.tif 000011
【図１１】
0003613012.tif 000012
【図１２】
0003613012.tif 000013
【図１３】
0003613012.tif 000014
【図１４】
0003613012.tif 000015
【図１５】
0003613012.tif 000016
【図１６】
0003613012.tif 000017